(57)【要約】【課題】  案内レールの材質に拘らず、帯電している遊技球を確実に除電する。【解決手段】  本発明に係る弾球遊技機１のアース構造は、遊技盤５の前面側に取り付けられ、遊技領域１０を区画する内レール２４及び外レール２５と、内レール２４の先端に形成され、導電部材製の取付具３３により遊技盤５に固定される球戻り防止片取付部２６と、球戻り防止片取付部２６の先端から外レール２５側に突出し、遊技領域１０に送出される遊技球４１が接触可能なように、取付具３３に接触した状態で球戻り防止片取付部２６に取り付けられる導電材料製の球戻り防止片３９と、裏セット盤１４側において球戻り防止片取付部２６に対応する位置に導電部材製の取付具４３により固定されるアース板４４とを備え、球戻り防止片取付部２６の取付具３３とアース板４４の取付具４３との接触により接地が可能なように構成されていることを特徴とする。【選択図】  図６
2005224292.tif 000002
【特許請求の範囲】
【請求項１】
遊技盤を収容可能な前枠と、該前枠の背面側に取り付けられる裏セット盤とを備えた弾球遊技機のアース構造であって、
前記遊技盤の前面側に取り付けられ、遊技領域を区画する内レール及び外レールと、
前記内レールの先端に形成され、導電部材製の取付具により前記遊技盤に固定される球戻り防止片取付部と、
該球戻り防止片取付部の先端から前記外レール側に突出し、前記遊技領域に送出される遊技球が接触可能なように、前記取付具に接触した状態で前記球戻り防止片取付部に取り付けられる導電材料製の球戻り防止片と、
前記裏セット盤側において前記球戻り防止片取付部に対応する位置に導電部材製の取付具により固定されるアース板と、
を備え、
前記球戻り防止片取付部の取付具と前記アース板の取付具との接触により接地が可能なように構成されていることを特徴とする弾球遊技機のアース構造。
【請求項２】
前記遊技盤の前面側周辺部には樹脂材料製のレール飾りが設けられ、前記内レール及び外レールは前記レール飾りと一体に設けられている請求項１に記載の弾球遊技機のアース構造。
【請求項３】
前記アース板は、予備賞球を球払出装置に案内する球案内流路に取り付けられており、前記アース板の取付具は前記裏セット盤に対する前記球案内流路の取付具と兼用されている請求項２又は３に記載の弾球遊技機のアース構造。
【発明の詳細な説明】
【技術分野】
【０００１】
本発明は、パチンコ遊技機やアレンジボール遊技機等の弾球遊技機のアース構造に関し、特に、発射された遊技球の除電を行い、静電気による障害を防止するためのアース構造に関する。
【背景技術】
【０００２】
従来、パチンコ遊技機に代表される弾球遊技機等において、遊技球は金属材料製であるため、移動する間に遊技盤や裏セット盤に取り付けられた部材と接触した際に静電気を帯び易い。一方、遊技盤には、発射装置から発射された遊技球を遊技領域に導くために内レール及び外レールから成る案内レールが取り付けられており、その内レールの先端には、一旦、遊技領域に導かれた遊技球が案内レール側に戻らないように球戻り防止片（ファール球返しとも言う。）が設けられ、一般に、この案内レールと球戻り防止片は金属材料で成形されている。
【０００３】
そこで、従来の弾球遊技機では、この案内レールを遊技機本体のアースに接続し、発射装置から発射された遊技球が静電気を帯びている場合、その遊技球を案内レールや球戻り防止片と接触させることにより遊技球から電荷を放出させ、除電可能なように構成させたアース構造が採用されている（例えば、特許文献１参照）。
【０００４】
【特許文献１】特開２００２−２５３７６４号公報
【発明の開示】
【発明が解決しようとする課題】
【０００５】
しかしながら、最近では、遊技盤において樹脂材料で形成されたレール飾りと一体に案内レールを成形させる弾球遊技機が開発されており、このような弾球遊技機の場合には、案内レールを介して除電させるという従来の上記アース構造を採用することができない。そのため、帯電した遊技球がそのままの状態で遊技領域に発射されるおそれがあり、そのような遊技球が各入賞装置に入球した場合、入賞検出センサ等を破壊してしまうといった問題が生じている。
【０００６】
また、上記した従来のアース構造では、アース線が遊技盤の前面側に露出するため、遊技者に対して視覚的にあまり好ましくないといった問題もあった。さらに、遊技盤の前面側及び裏セット盤においてアース線を引き回す必要があったため、配線作業に手間が掛かるといった問題もあった。
【０００７】
本発明は、上記した課題を解決すべくなされたものであり、案内レールの材質に拘らず、帯電している遊技球を確実に除電することができる弾球遊技機のアース構造を提供しようとするものである。
【課題を解決するための手段】
【０００８】
本発明は、遊技盤５を収容可能な前枠３と、前枠３の背面側に取り付けられる裏セット盤１４とを備えた弾球遊技機１のアース構造であって、遊技盤５の前面側に取り付けられ、遊技領域１０を区画する内レール２４及び外レール２５と、内レール２４の先端に形成され、導電部材製の取付具３３により遊技盤５に固定される球戻り防止片取付部２６と、球戻り防止片取付部２６の先端から外レール２５側に突出し、遊技領域１０に送出される遊技球４１が接触可能なように、取付具３３に接触した状態で球戻り防止片取付部２６に取り付けられる導電材料製の球戻り防止片３９と、裏セット盤１４側において球戻り防止片取付部２６に対応する位置に導電部材製の取付具４３により固定されるアース板４４とを備え、球戻り防止片取付部２６の取付具３３とアース板４４の取付具４３との接触により接地が可能なように構成されていることを特徴とする。
【０００９】
そして、遊技盤５の前面側周辺部には樹脂材料製のレール飾り２３が設けられ、内レール２４及び外レール２５はレール飾り２３と一体に設けられているのが好ましい。
【００１０】
また、アース板４４は、予備賞球を球払出装置に案内する球案内流路１７に取り付けられており、アース板４４の取付具３３は裏セット盤１４に対する球案内流路１７の取付具と兼用されていてもよい。
【発明の効果】
【００１１】
本発明によれば、内レールの先端に取り付けられた球戻り防止片を介してアースが取られるようになっているため、内レールや外レールの材質に拘らず、帯電している遊技球に対して確実に除電することができる。また、アース線が遊技盤の前面側に露出しないため、視覚的にも改善することができ、さらに、遊技盤の前面側及び裏セット盤においてアース線を引き回す必要がないため、余計な配線作業を省略することができる等、種々の優れた効果を得ることができる。
【発明を実施するための最良の形態】
【００１２】
以下、図面を参照しつつ、本発明の実施の形態について説明する。なお、以下の説明では、本発明をパチンコ遊技機に適用した場合について説明する。
【００１３】
先ず、図１及び図２を参照しつつ、パチンコ遊技機の概略構成について説明する。ここで、図１はパチンコ遊技機を示す正面図であり、ガラス扉及び裏セット盤を分解して示しており、図２はパチンコ遊技機を示す背面図である。
【００１４】
このパチンコ遊技機１は、方形枠状の外枠２と、遊技機の機体となる前枠３とを備えており、前枠３は、外枠２に対して開閉可能に取り付けられていると共に施錠装置４により閉鎖状態に保持されるようになっている。そして、前枠３には、遊技盤５が収容され、遊技盤５の前面側には、図柄表示装置６、中央飾り７、始動入賞口８、大入賞口９等の各種遊技部品がそれぞれ配設され、遊技領域１０が形成されている。
【００１５】
また、前枠３の正面側には、ガラス扉１１及び球皿１２が開閉可能且つ着脱可能に取り付けられ、それらは施錠装置４及び球皿施錠装置（図示せず）により閉鎖状態に保持されるようになっている。さらに、球皿１２の下方には正面右側に発射ハンドル１３が前方に突出して設けられている。
【００１６】
一方、前枠３の背面側には裏セット盤１４が設けられ、その裏セット盤１４は、前枠３の背面に設けられた複数のレバー１５により着脱可能に設けられている。裏セット盤１４には、多量（５００〜８００個）の予備賞球を貯留する賞球タンク１６、予備賞球を後述する球払出装置１８に案内する球案内流路１７、遊技盤５での入賞状態等に基づき賞球を払い出す球払出装置１８、球払出装置１８から払い出された賞球を球皿１２に排出するための球払出通路１９等が取り付けられている。そして、球案内流路１７には、左右方向に長い樋形状を成すタンクレール２０が設けられ、そのタンクレール２０の内側には右方向に約４度の下り勾配で傾斜する前後２列の流路（図示せず）が形成されており、終端部には下方に折曲された偏向出口２１が形成されている。
【００１７】
次に、図３〜図６を参照しつつ、本発明の実施の形態に係るパチンコ遊技機のアース構造について説明する。ここで、図３はそのパチンコ遊技機の遊技盤を示す正面図、図４はそのパチンコ遊技機のアース構造を示す正面図、図５はそのアース構造を示す背面図、図６はその断面図である。
【００１８】
図３に最も良く示されているように、遊技盤５はベニヤ合板２２を基体として形成されており、ベニヤ合板２２の前面側周辺部には、ＡＢＳ、ＰＣ等の合成樹脂製のレール飾り２３が設けられている。レール飾り２３には、それぞれ円弧状に形成された内レール２４及び外レール２５から成る案内レール４７と、内レール２４の先端に形成された球戻り防止片取付部２６と、遊技盤５の最下部中央に形成されたアウト口２７と、円弧状に形成された遊技領域外周形成部２８と、遊技盤施錠部２９と、補強部材係合部３０と、証紙貼付部３１とが設けられている。そして、内レール２４、外レール２５、及びアウト口２７はそれぞれレール飾り２３と一体に樹脂材料で成形されており、内レール２４、外レール２５、及び遊技領域外周形成部２８により遊技領域１０が区画形成されている。このように、内レール２４、外レール２５、及びアウト口２７がそれぞれレール飾り２３と一体に成形されているため、部品点数の削減が図れ、組立作業の簡素化、コストの低減化が可能となる。
【００１９】
内レール２４の球戻り防止片取付部２６は先端の尖った舟形状を成し、中央部には前後方向に貫通する取付孔３２が形成されている。この取付孔３２には導電部材製の取付具３３が螺挿可能となっており、その取付具３３を取付孔３２に螺挿することにより、球戻り防止片取付部２６が遊技盤５に固定されると共に、取付具３３の後端部３４が遊技盤５を貫通し、裏セット盤１４側に突出するようになっている。また、球戻り防止片取付部２６の外側面には、内レール２４の曲率に沿った緩やかな曲面３５が形成され、その曲面３５の先端部分３６は、さらに遊技領域１０側に僅かに湾曲している。一方、球戻り防止片取付部２６の内側面には、基端側に球戻り防止片固定面３７が形成され、その先端側に球戻り防止片固定面３７より僅かに外側に屈曲した球戻り防止片当接面３８が形成されている。
【００２０】
球戻り防止片取付部２６には、球戻り防止片固定面３７に沿って薄板短冊状で金属製の球戻り防止片３９が固定されており、球戻り防止片３９の基端部は取付具３３に接触している。また、球戻り防止片３９は球戻り防止片当接面３８に沿うように外側に緩やかに湾曲しており、その先端部４０は球戻り防止片取付部２６の先端から外レール２５側に片持ち梁状に突出し、発射された遊技球４１が球戻り防止片３９の先端部４０に必ず接触するようになっている。
【００２１】
一方、裏セット盤１４側のタンクレール２０には、偏向出口２１近傍の球戻り防止片取付部２６に対応する位置に、アース板取付部４２が形成されている。アース板取付部４２には導電材製の取付具４３が螺挿可能となっており、その取付具４３をアース板取付部４２に螺挿することにより、アース板４４がタンクレール２０に固定されると共にタンクレール２０が裏セット盤１４に固定され、取付具４３の前端部４５が球戻り防止片取付部２６の取付具３３の後端部３４と突合せ接触するようになっている。また、アース板４４にはアースケーブル４６が接続され、アース板４４はアースケーブル４６を介してパチンコ遊技機１本体のアース（図示せず）に電気的に接続されている。このように、アース板４４の取付具４３は裏セット盤１４に対するタンクレール２０の取付具と兼用されているため、部品点数の削減が図れ、組立作業の簡素化、コストの低減化が可能となる。また、アース線が遊技盤５の前面側に露出しないため、視覚的にも改善することができ、さらに、遊技盤の前面側及び裏セット盤においてアース線を引き回す必要がないため、余計な配線作業を省略することができる。
【００２２】
次に、図１〜図６を参照しつつ、本発明の実施の形態に係るパチンコ遊技機のアース構造の作用について説明する。
【００２３】
発射ハンドル１３を正面から見て時計回り方向に回動させると、球皿１２から供給された遊技球４１は案内レール４７に沿って遊技領域１０に向かって発射され、案内レール４７の終端において球戻り防止片３９と接触する。遊技球４１が球戻り防止片３９に接触すると、その遊技球４１が静電気を帯びている場合には、球戻り防止片３９に電荷を放出し、その放出された電荷は、球戻り防止片取付部２６の取付具３３、アース板取付部４２の取付具４３、及びアース板４４を通ってパチンコ遊技機１本体のアースに放出される。そして、このように除電された遊技球４１は、球戻り防止片３９を遊技領域１０側に弾性変形させ、遊技領域１０内に送出される。
【００２４】
したがって、遊技球４１が、樹脂材料製の部材、例えば、内レール２４や外レール２５と接触する過程で静電気を帯びたとしても、その遊技球４１は案内レール４７から遊技領域１０に送出される時に、必ず球戻り防止片３９と接触し、除電されるため、遊技球が荷電された状態で始動入賞口８や大入賞口９内に配置された入賞検出センサ等に放電し、それらの機器を破損等させるおそれはない。
【００２５】
なお、上記した実施の形態では、球戻り防止片取付部２６の取付具３３とアース板４４の取付具４３とが突合せ接触するようになっているが、両取付具３３，４３同士を締結具等により連結可能なように構成してもよい。その場合には、両取付具３３，３４の接触状態がより確実に保持されるため、アースの信頼性を一層高めることができる。
【００２６】
また、本発明は、アレンジボール遊技機や雀球遊技機等、パチンコ遊技機以外の遊技機にも適用可能であることは言う迄もない。
【図面の簡単な説明】
【００２７】
【図１】本発明の実施の形態におけるパチンコ遊技機を示す正面図であり、ガラス扉及び裏セット盤を分解して示している。
【図２】本発明の実施の形態におけるパチンコ遊技機を示す背面図である。
【図３】本発明の実施の形態におけるパチンコ遊技機の遊技盤を示す正面図である。
【図４】本発明の実施の形態に係るパチンコ遊技機のアース構造を示す正面図である。
【図５】本発明の実施の形態に係るパチンコ遊技機のアース構造を示す背面図である。
【図６】本発明の実施の形態に係るパチンコ遊技機のアース構造を示す断面図である。
【符号の説明】
【００２８】
１          パチンコ遊技機
３          前枠
５          遊技盤
１０        遊技領域
１４        裏セット盤
１７        球案内流路
２３        レール飾り
２４        内レール
２５        外レール
２６        球戻り防止片取付部
３３        取付具
３９        球戻り防止片
４１        遊技球
４３        取付具
４４        アース板
【図１】
2005224292.tif 000003
【図２】
2005224292.tif 000004
【図３】
2005224292.tif 000005
【図４】
2005224292.tif 000006
【図５】
2005224292.tif 000007
【図６】
2005224292.tif 000008